(57)【要約】  システムは、眼用デバイスと通信する聴覚コンピューティングシステムを含むことができる。いくつかの実施形態では、聴覚コンピューティングシステムは、眼用デバイスと通信するワイヤレス通信デバイスを含むことができる。いくつかの実施形態では、眼用デバイスは、ユーザの目に挿入することができるコンタクトレンズを含む。ワイヤレス通信デバイスは、ウェアラブル技術を含むことができる。【選択図】図２
2021515916.tif 000002
【特許請求の範囲】
【請求項１】
トランスミッターを含む眼用デバイスと、
該眼用デバイスと通信する聴覚コンピューティングシステムと、
を備える、眼用デバイスと通信するためのシステム。
【請求項２】
該聴覚コンピューティングシステムが、該眼用デバイスと通信するワイヤレス通信デバイスを含む、請求項１に記載のシステム。
【請求項３】
該眼用デバイスがコンタクトレンズを有する、請求項２に記載のシステム。
【請求項４】
該コンタクトレンズが移植可能なレンズを有する、請求項２に記載のシステム。
【請求項５】
該眼用デバイスが、
本体と、
該本体に結合されたアンテナと、
該アンテナとつながるエネルギー源と、
該アンテナと通信するワイヤレストランシーバと、
該本体に結合されて、該ワイヤレストランシーバと通信するセンサーと、
を備える、請求項１に記載のシステム。
【請求項６】
該本体に結合された出力デバイスをさらに備え、該出力デバイスが、ユーザが該眼用デバイスを装着しているときに、該ユーザに投与するための物質を保持するようにされている、請求項５に記載のシステム。
【請求項７】
該聴覚コンピューティングシステムは、受信信号に応答して、該出力デバイスを動作させて該物質を該ユーザの目に投与するように構成されている、請求項６に記載のシステム。
【請求項８】
該眼用デバイスの該本体に結合されたユーザ通信デバイスをさらに備え、該ユーザ通信デバイスが、該眼用デバイスの修正によってユーザの視野を変更するように構成されている、請求項５に記載のシステム。
【請求項９】
該聴覚コンピューティングシステムが、該ユーザ通信デバイスを動作させて該眼用デバイスの光学的特性を変更するように構成されている、請求項８に記載のシステム。
【請求項１０】
該眼用デバイスの光学的特性を変更することは、該ユーザにメッセージを表示することを含む、請求項９に記載のシステム。
【請求項１１】
該光学的特性を変更することは、検出された使用状態に基づいて該コンタクトレンズの処方を変更することを含む、請求項９に記載のシステム。
【請求項１２】
該聴覚コンピューティングシステムがさらにウェアラブルワイヤレスデバイスを備え、該ウェアラブルワイヤレスデバイスが、
プロセッサモジュールと、
該プロセッサモジュールと通信するようにされたアンテナであって、該眼用デバイスとの通信を容易にするように構成されたアンテナと、
を含む、請求項１に記載のシステム。
【請求項１３】
第２の眼用デバイスをさらに備え、
該聴覚コンピューティングシステムが該第２の眼用デバイスと通信するように構成されている、請求項１に記載のシステム。
【請求項１４】
第２の眼用デバイスと、
該第２の眼用デバイスと通信するように構成された第２の聴覚コンピューティングシステムと、
をさらに備える、請求項１に記載のシステム。
【請求項１５】
該聴覚コンピューティングシステムが、ユーザの頭に固定可能なウェアラブルデバイスをさらに備える、請求項１に記載のシステム。
【請求項１６】
該聴覚コンピューティングシステムが加速度計をさらに備え、
該加速度計は、該ウェアラブルデバイスがユーザによって装着されたときにユーザの動きに応答して、該ユーザの動きを検出するように構成されている、請求項１５に記載のシステム。
【請求項１７】
該聴覚コンピューティングシステムが、該加速度計による検出に基づいて該眼用デバイスの光学的特性を変更するように構成されている、請求項１６に記載のシステム。
【請求項１８】
該聴覚コンピューティングシステムは、該眼用デバイスからのデータを収集および分析するように構成されている、請求項１に記載のシステム。
【請求項１９】
該聴覚コンピューティングデバイスは、外部コンピューティングシステムにデータを送信するように構成されている、請求項１８に記載のシステム。
【請求項２０】
該外部コンピューティングシステムは、クラウドコンピューティングシステムを含む、請求項１９に記載のシステム。
【請求項２１】
該眼用デバイスがユーザの目に埋め込まれるようにされた、請求項１に記載のシステム。
【請求項２２】
該聴覚コンピューティングシステムおよび該眼用デバイスは、該聴覚コンピューティングシステムおよび該眼用デバイスがユーザによって装着されたときに、互いに一定の距離で離間するように構成されている、請求項１に記載のシステム。
【請求項２３】
該聴覚コンピューティングシステムはウェアラブルデバイスを含み、該眼用デバイスはユーザによって装着されるように構成されたコンタクトレンズを含む、請求項２２に記載のシステム。
【請求項２４】
該ウェアラブルデバイスはイヤホンを含む、請求項２３に記載のシステム。
【請求項２５】
該イヤホンは所定の送信範囲を含む、請求項２４に記載のシステム。
【請求項２６】
該所定の送信範囲が６インチ（１５２ミリ）未満である、請求項２５に記載のシステム。
【請求項２７】
該イヤホンは、該イヤホンがユーザの耳に装着されたときに該ユーザの目に向けて送信するように構成された集束トランスミッターを含む、請求項２７に記載のシステム。
【請求項２８】
該イヤホンは、該イヤホンがユーザの耳に装着され該眼用デバイスがユーザの目に配置されたときに、該眼用デバイスからの送信を受信するように構成された集束レシーバーを備える、請求項２７に記載のシステム。
【請求項２９】
ユーザによって装着された眼用デバイスからイヤホンで情報を受け取るステップと、
該眼用デバイスからの情報を分析するステップと、
該分析された情報に関するメッセージを該眼用デバイスに送信するステップと、
を有する、ユーザに警告する方法。
【請求項３０】
該情報を分析するステップは、所定の閾値が満たされているかどうかを判定するステップを含む、請求項２９に記載の方法。
【請求項３１】
該所定の閾値が満たされたときにユーザに警告するステップをさらに有する、請求項３０に記載の方法。
【請求項３２】
所定のアクションを実行するのにユーザからの入力を要求するステップをさらに有する、請求項３１に記載の方法。
【請求項３３】
該所定のアクションは、物質をユーザに投与することを含む、請求項３２に記載の方法。
【請求項３４】
所定の閾値が満たされないときにユーザに警告するステップをさらに有する、請求項３０に記載の方法。
【請求項３５】
該眼用デバイスの処方強度の変更を引き起こすステップをさらに含む、請求項２９に記載の方法。
【請求項３６】
該眼用デバイスの光学的特性の変化を引き起こすことは、ユーザの視野内で該眼用デバイス上にメッセージが表示されようにすることをさらに含む、請求項３５に記載の方法。
【請求項３７】
該分析された情報をリモートデバイスに送信するステップをさらに含む、請求項２９に記載の方法。
【請求項３８】
該リモートデバイスは、クラウドコンピューティングデバイスを含む、請求項３７に記載の方法。
【請求項３９】
安全警告を受信するステップと、
ユーザに関連付けられたリモートデバイスに該安全警告を送信するステップと、
を更に有する、請求項２９に記載の方法。
【請求項４０】
該安全警告はユーザの位置および安全メッセージを含む、請求項３９に記載の方法。
【請求項４１】
ユーザが装着しているワイヤレスレシーバーから情報を受信するステップと、
該ワイヤレスレシーバーからの該情報を分析するステップと、
該分析に基づいて眼用デバイスの光学的特性の変更を促すステップと、
を有する、眼用デバイスを変更する方法。
【請求項４２】
ユーザの頭の動きを検出するステップをさらに含む、請求項４１に記載の方法。
【請求項４３】
該眼用デバイスの光学的特性の変更を促すステップは、該眼用デバイスの処方強度の変更を促すステップをさらに含む、請求項４１に記載の方法。
【請求項４４】
該眼用デバイスから情報を要求するステップと、
該眼用デバイスからの該情報を分析するステップと、
を更に有する、請求項４１に記載の方法。
【請求項４５】
該眼用デバイスからの情報の該分析に基づいて、該眼用デバイスの光学的特性の変更を促すステップをさらに含む、請求項４４に記載の方法。
【請求項４６】
本体、及び該本体内に配置された少なくとも１つのセンサー、を有する第１のコンタクトレンズと、
該第１のコンタクトレンズと通信するウェアラブルワイヤレスレシーバーと、
を備える、コンタクトレンズシステム。
【請求項４７】
該ウェアラブルワイヤレスレシーバーはイヤホンを備える、請求項４６に記載のコンタクトレンズシステム。
【請求項４８】
該第１のコンタクトレンズは、該第１のコンタクトレンズの該本体に配置された指向性トランスミッターをさらに備える、請求項４７に記載のコンタクトレンズシステム。
【請求項４９】
該イヤホンは、該第１のコンタクトレンズに向けられた指向性レシーバーをさらに備える、請求項４８に記載のコンタクトレンズシステム。
【請求項５０】
該第１のコンタクトレンズが、６インチ（１５２ミリ）以下の送信範囲を有するアンテナをさらに備える、請求項４９に記載のコンタクトレンズシステム。
【請求項５１】
該第１のコンタクトレンズの該本体内に配置されて少なくとも１つのセンサーと通信するプロセッサモジュールと、
該第１のコンタクトレンズの該本体内に配置されて該少なくとも１つのセンサーと通信するアンテナと、
を更に備える、請求項４９に記載のコンタクトレンズシステム。
【請求項５２】
該第１のコンタクトレンズの該本体に配置された電池をさらに備え、該アンテナが該電池とつながっている、請求項５１に記載のコンタクトレンズシステム。
【請求項５３】
該コンタクトレンズがユーザの目に装着されるように構成され、該ワイヤレスレシーバーがイヤホンである、請求項４６に記載のコンタクトレンズシステム。
【請求項５４】
該ワイヤレスレシーバーは、所定の送信範囲および集束された送信方向を備えたイヤホンを備える、請求項４６に記載のコンタクトレンズシステム。
【請求項５５】
該所定の送信範囲が６インチ（１５２ミリ）未満である、請求項５４に記載のコンタクトレンズシステム。
【請求項５６】
該コンタクトレンズは、生データを該ワイヤレスレシーバーに送信するように構成されている、請求項４６に記載のコンタクトレンズシステム。
【請求項５７】
該ワイヤレスレシーバーはイヤホンを含み、該コンタクトレンズは該イヤホンに情報を送信するようにされた、請求項４６に記載のコンタクトレンズシステム。
【請求項５８】
可聴音を生成するように構成されたスピーカーと、
コンタクトレンズと通信するトランスミッターと、
を有するイヤホン。
【請求項５９】
該トランスミッターは、該イヤホンがユーザの耳に取り付けられたときにユーザの目の方向からの信号を受信する指向性レシーバーを含む、請求項５８に記載のイヤホン。
【請求項６０】
該可聴音は該コンタクトレンズから送信された情報に基づくメッセージを含む、請求項５８に記載のイヤホン。
【請求項６１】
該情報がユーザの眼の眼圧を含む、請求項６０に記載のイヤホン。
【請求項６２】
該情報がグルコースの読み取り値を含む、請求項６０に記載のイヤホン。
【請求項６３】
該情報が健康状態を含む、請求項６０に記載のイヤホン。
【請求項６４】
該情報が眼の乾燥レベルを含む、請求項６０に記載のイヤホン。
【請求項６５】
該情報が眼精疲労レベルを含む、請求項６０に記載のイヤホン。
【請求項６６】
該コンタクトレンズからの信号を解釈するように構成されたプロセッサをさらに備える、請求項５８に記載のイヤホン。
【請求項６７】
該プロセッサが、該コンタクトレンズからの信号の解釈に応答して、該コンタクトレンズに指示を送信するように構成されている、請求項６６に記載のイヤホン。
【請求項６８】
該指示が、該コンタクトレンズから眼内に治療薬を放出することを含む、請求項６７に記載のイヤホン。
【請求項６９】
該指示が、該コンタクトレンズを使用して測定を行うことを含む、請求項６７に記載のイヤホン。
【請求項７０】
該指示が、該コンタクトレンズの光学的特性を変更することを含む、請求項６７に記載のイヤホン。
【請求項７１】
該プロセッサが、該コンタクトレンズからリモートデバイスに情報を送信するように構成されている、請求項６６に記載のイヤホン。
【請求項７２】
該プロセッサが、該コンタクトレンズからの該情報を該リモートデバイスに送信する前に該情報を修正するように構成されている、請求項７１に記載のイヤホン。
【請求項７３】
該リモートデバイスがパーソナルモバイルデバイスを含む、請求項７１に記載のイヤホン。
【発明の詳細な説明】
【技術分野】
【０００１】
本出願は、２０１８年３月１４日に出願された米国仮出願６２／６４２，９６４の優先権を主張し、その開示は、この参照によりその全体が本明細書に組み込まれる。
【背景技術】
【０００２】
ウェアラブルテクノロジーは、様々な生体情報を監視するために広く使用されている。生体情報は、ユーザの運動時間、心拍数、歩数などに関連している。ただし、従来の生体情報では、装着者の実際の健康状態に関する本質的なところを得られることはめったにない。たとえば、ウェアラブルテクノロジーでは、血糖値や赤血球数を監視できない。
【０００３】
眼は、早期発見で治療することができる多くの疾患および病気にかかりやすい。これらのいくつかには、例を挙げると、眼圧の上昇、緑内障、アカンタモエバ角膜炎、白内障、結膜炎、角膜潰瘍、ドライアイ症候群、前房出血、および黄斑円孔が含まれる。これらのいくつかは、失明または目の喪失にさえつながる可能性がある。結膜炎など簡単に検出できる状態もあれば、診断のために検査が必要な状態もある。
【０００４】
いくつかの疾患は、眼または涙液を介して検出または監視することができる。たとえば、糖尿病、高血圧、自己免疫疾患、高コレステロール、甲状腺の不調、および癌は、多くの場合、目を通して検出できる。たとえば、糖尿病は涙液を通して監視することができる。糖尿病患者の涙液は、糖尿病患者のグルコースの量を決定するために使用することができる。
【０００５】
眼の状態を測定するためのコンタクトレンズの例は、ダグラス・ウェイベルに発行された米国特許第９，２８９，１２３号（特許文献１）に開示されている。この文献では、眼圧を測定するための眼に取り付け可能な装置が提供されている。デバイスは、眼の角膜表面上に取り外し可能に取り付けられるように構成された凹面を有する透明ポリマー材料、ならびにこの透明ポリマー材料に少なくとも部分的に埋め込まれた、アンテナ、拡張可能部材、センサー、および制御電子機器を含むことができる。この拡張可能なデバイスは、拡張して角膜表面に力を加えるように構成され、センサーは、加えられた力に応じた角膜の変形に対する抵抗を検出するように構成される。拡張可能な部材によって加えられた力に応じた角膜の変形に対する抵抗は眼の眼圧を示している。
【０００６】
眼の状態を測定するためのコンタクトレンズの別の例は、ジェームズ・エツコーンに発行された米国特許第９，３３２，９３５号（特許文献２）に開示されている。この文献では、身体に取り付け可能なデバイス、および身体に取り付け可能な装置に構造体を埋め込むための方法が説明されている。身体に取り付け可能な装置は、透明なポリマーと、透明なポリマーに埋め込まれた構造体とを含む。透明なポリマーは、身体に取り付け可能なデバイスの後側と前側を画定する。構造体は、外径と内径を有し、分析物を検出するように構成されたセンサーとアンテナを含む。アンテナは、外径と内径との間に互いに間隔を置いて配置された複数の導電性ループを含む。
【０００７】
眼の状態を測定するためのコンタクトレンズの別の例は、ランドール・ブラクストン・ピューに発行された米国特許第８，８５７，９８３号（特許文献３）に開示されている。この文献では、コンタクトレンズを含む眼用デバイスなどの医療用デバイスを含む機械的デバイスに組み込むためのアンテナおよびアンテナシステムが開示されている。これらのアンテナおよびアンテナシステムを利用して、機械的デバイスからレシーバーにデータを送信したり、トランスミッターからデータを受信したり、および／または機械的デバイスに組み込まれた電気機械セルなどを誘導的に充電することができる。
【先行技術文献】
【特許文献】
【０００８】
【特許文献１】米国特許第９，２８９，１２３号
【特許文献２】米国特許第９，３３２，９３５号
【特許文献３】米国特許第８，８５７，９８３号  これらの文献のそれぞれは、それらが含むすべてについて参照により本明細書に組み込まれる。
【発明の概要】
【課題を解決するための手段】
【０００９】
一実施形態では、眼用デバイスと通信するためのシステムが説明されている。
【００１０】
このシステムは、眼用デバイスと通信する聴覚コンピューティングシステムを含むことができる。
【００１１】
いくつかの実施形態では、聴覚コンピューティングシステムは、眼用デバイスと通信するワイヤレス通信デバイスを含むことができる。
【００１２】
いくつかの実施形態では、眼用デバイスはコンタクトレンズを含むことができる。
【００１３】
いくつかの実施形態では、コンタクトレンズは挿入可能なアイデバイス（eye device）を含むことができる。
【００１４】
いくつかの実施形態では、眼用デバイスは本体を含むことができる。
【００１５】
いくつかの実施形態では、眼用デバイスは身体に結合されたアンテナを含むことができる。
【００１６】
いくつかの実施形態では、眼用デバイスはアンテナとつながるエネルギー源を含むことができる。
【００１７】
いくつかの実施形態では、眼用デバイスはアンテナと通信するワイヤレストランシーバを含むことができる。
【００１８】
いくつかの実施形態では、眼用デバイスは、本体に結合されて、ワイヤレストランシーバと通信するセンサーを含むことができる。
【００１９】
いくつかの実施形態では、眼用デバイスは、本体に結合された出力デバイスを含むことができる。
【００２０】
いくつかの実施形態では、出力デバイスは、ユーザが眼用デバイスを装着しているときに、ユーザに投与するための物質を保持することができる。
【００２１】
いくつかの実施形態では、聴覚コンピューティングシステムが出力デバイスを動作させて物質をユーザの目に投与することができる。
【００２２】
いくつかの実施形態では、ユーザ通信デバイスは眼用デバイスの本体に結合することができる。
【００２３】
いくつかの実施形態では、ユーザ通信デバイスはユーザの視野を変更することができる。
【００２４】
いくつかの実施形態では、聴覚コンピューティングシステムがユーザ通信デバイスを動作させて眼用デバイスの光学的特性を変更することができる。
【００２５】
いくつかの実施形態では、光学的特性を変更することはユーザにメッセージを表示することを含むことができる。
【００２６】
いくつかの実施形態では、光学的特性を変更することは、使用状態に基づいてコンタクトレンズの処方を変更することを含むことができる。
【００２７】
いくつかの実施形態では、聴覚コンピューティングシステムは、ウェアラブルワイヤレスデバイスを含むことができる。
【００２８】
いくつかの実施形態では、ウェアラブルデバイスは、プロセッサモジュールを含むことができる。
【００２９】
いくつかの実施形態では、ウェアラブルデバイスは、プロセッサモジュールと通信するアンテナを含むことができる。
【００３０】
いくつかの実施形態では、アンテナは眼用デバイスと通信することができる。
【００３１】
いくつかの実施形態では、システムは第２の眼用デバイスを含むことができる。
【００３２】
いくつかの実施形態では、聴覚コンピューティングシステムは第２の眼用デバイスと通信することができる。
【００３３】
いくつかの実施形態では、第２の眼用デバイスは第２の聴覚デバイスと通信することができる。
【００３４】
いくつかの実施形態では、聴覚コンピューティングシステムは、ユーザの頭に固定可能なウェアラブルデバイスをさらに含む。
【００３５】
いくつかの実施形態では、聴覚コンピューティングシステムは、加速度計をさらに含むことができる。
【００３６】
いくつかの実施形態では、加速度計は、ウェアラブルデバイスがユーザによって装着されたときにユーザの動きに応答して、ユーザの動きを検出することができる。
【００３７】
いくつかの実施形態では、聴覚コンピューティングシステムは、加速度計による検出に基づいて眼用デバイスの光学的特性を変更することができる。
【００３８】
いくつかの実施形態では、聴覚コンピューティングシステムは、眼用デバイスからのデータを収集および分析することができる。
【００３９】
いくつかの実施形態では、聴覚コンピューティングデバイスは、データを外部コンピューティングシステムに送信することができる。
【００４０】
いくつかの実施形態では、外部コンピューティングシステムは、クラウドコンピューティングシステムであり得る。
【００４１】
いくつかの実施形態では、聴覚コンピューティングデバイスおよび眼用デバイスは、ユーザによって装着されたときに、互いに実質的に一定の距離で離間している。
【００４２】
いくつかの実施形態では、聴覚コンピューティングデバイスは、ウェアラブルデバイスであり得、眼用デバイスはユーザが装着するコンタクトレンズであり得る。
【００４３】
いくつかの実施形態では、コンタクトレンズはユーザの目に埋め込まれている。
【００４４】
いくつかの実施形態では、ウェアラブルデバイスはイヤホンであり得る。
【００４５】
いくつかの実施形態では、イヤホンは所定の送信範囲を有することができる。
【００４６】
いくつかの実施形態では、所定の送信範囲は、６インチ（１５２ミリ）未満であり得る。
【００４７】
いくつかの実施形態では、イヤホンは、イヤホンがユーザの耳の中に装着されたときに、送信をユーザの目に向けるための集束トランスミッターを含むことができる。
【００４８】
いくつかの実施形態では、イヤホンは、イヤホンがユーザの耳内に装着され、眼用デバイスがユーザの目に配置されたときに、眼用デバイスからの送信を受信する集束レシーバーを含む。
【００４９】
別の実施形態では、ユーザに警告する方法が説明されている。
【００５０】
この方法は、ユーザが装着するする眼用デバイスとしてのコンタクトレンズからの情報を受信すること、コンタクトレンズからの情報を分析すること、および分析された情報に関するユーザの眼用デバイスへの眼用デバイスの光学的特性の変化を引き起こすメッセージを送信することを含むことができる。
【００５１】
いくつかの実施形態では、情報を分析することは、所定の閾値が満たされているかどうかを判定することを含むことができる。
【００５２】
いくつかの実施形態では、この方法は、所定の閾値が満たされたときにユーザに警告することを含むことができる。
【００５３】
いくつかの実施形態では、この方法は、所定のアクションを実行する際にユーザからの入力を要求することを含むことができる。
【００５４】
いくつかの実施形態では、所定のアクションは物質をユーザに投与することを含み得る
【００５５】
いくつかの実施形態では、この方法は、所定の閾値が満たされないときにユーザに警告することを含むことができる。
【００５６】
いくつかの実施形態では、この方法は、眼用デバイスの処方強度の変更を引き起こすことを含むことができる。
【００５７】
いくつかの実施形態では、眼用デバイスの光学的特性の変化を引き起こすことは、ユーザの視野内で眼用デバイス上にメッセージが表示されるようにすることができる。
【００５８】
いくつかの実施形態では、この方法は、分析された情報をリモートデバイスに送信することを含むことができる。
【００５９】
いくつかの実施形態では、リモートデバイスは、クラウドコンピューティングデバイスであり得る。
【００６０】
いくつかの実施形態では、この方法は、安全警告を受信することを含むことができる。
【００６１】
いくつかの実施形態では、この方法は、安全警告をユーザに関連付けられたリモートデバイスに送信することを含むことができる。
【００６２】
いくつかの実施形態では、安全警告は、ユーザの位置および安全メッセージを含むことができる。
【００６３】
別の実施形態では、眼用デバイスを変更する方法が説明されている。この方法は、ユーザが装着するワイヤレスレシーバーから情報を受信すること、ワイヤレスレシーバーからの情報を分析すること、および分析に基づいて眼用デバイスの光学的特性の変更を促すことを含むことができる。
【００６４】
いくつかの実施形態では、この方法は、ユーザの頭の動きを検出することを含むことができる。
【００６５】
いくつかの実施形態では、眼用デバイスの光学的特性の変更を促すことは、眼用デバイスの処方強度の変更を促すことを含むことができる。
【００６６】
いくつかの実施形態では、この方法は、眼用デバイスからの情報を要求することを含むことができる。
【００６７】
いくつかの実施形態では、この方法は、眼用デバイスからの情報を分析することを含むことができる。
【００６８】
いくつかの実施形態では、この方法は、眼用デバイスからの情報の分析に基づいて、眼用デバイスの光学的特性の変更を促すことを含むことができる。
【００６９】
別の実施形態では、コンタクトレンズシステムが記載されている。
【００７０】
コンタクトレンズシステムは、第１のコンタクトレンズと、第１のコンタクトレンズと通信するウェアラブルワイヤレスレシーバーとを含むことができる。
【００７１】
第１のコンタクトレンズは、本体と、本体に配置された少なくとも１つのセンサーとを含むことができる。
【００７２】
いくつかの実施形態では、ウェアラブルワイヤレスレシーバーはイヤホンであり得る。
【００７３】
いくつかの実施形態では、第１のコンタクトレンズは、第１のコンタクトレンズの本体に配置された指向性トランスミッターを含むことができる。
【００７４】
いくつかの実施形態では、イヤホンは、コンタクトレンズに向けられた指向性レシーバーを含むことができる。
【００７５】
いくつかの実施形態では、第１のコンタクトレンズはアンテナを含むことができる。
【００７６】
いくつかの実施形態では、アンテナは、５インチ（１２７ミリ）以下の送信範囲を有することができる。
【００７７】
いくつかの実施形態では、プロセッサモジュールが、少なくとも１つのセンサーと通信可能状態にして、第１のコンタクトレンズの本体に配置されるようにすることができる。
【００７８】
いくつかの実施形態では、アンテナが、少なくとも１つのセンサーと通信可能状態にして第１のコンタクトレンズの本体に配置されるようにすることができる。
【００７９】
いくつかの実施形態では、電池を第１のコンタクトレンズの本体内に配置することができる。
【００８０】
いくつかの実施形態では、アンテナは電池とつながれたものとすることができる。
【００８１】
いくつかの実施形態では、コンタクトレンズはユーザの目に埋め込まれ得、ワイヤレスレシーバーはイヤホンとすることができる。
【００８２】
いくつかの実施形態では、ワイヤレスレシーバーは、所定の送信範囲および集束された送信方向を有するイヤホンであり得る。
【００８３】
いくつかの実施形態では、所定の送信範囲は６インチ（１５２ミリ）未満であり得る。
【００８４】
いくつかの実施形態では、コンタクトレンズは生データをワイヤレスレシーバーに送信することができる。
【００８５】
いくつかの実施形態では、ワイヤレスレシーバーはイヤホンとすることができ、コンタクトレンズは情報をイヤホンに送信することができる。
【００８６】
別の実施形態では、イヤホンが記載されている。
【００８７】
いくつかの実施形態では、イヤホンは、可聴音を生成するように構成されたスピーカーを含むことができる。
【００８８】
いくつかの実施形態では、イヤホンは、コンタクトレンズと通信するトランスミッターを含むことができる。
【００８９】
いくつかの実施形態では、トランスミッターは、イヤホンがユーザの耳に取り付けられたときに、ユーザの目の方向から信号を受信する指向性レシーバーを含むことができる。
【００９０】
いくつかの実施形態では、可聴音は、コンタクトレンズから送信された情報に基づくメッセージを含むことができる。
【００９１】
いくつかの実施形態では、情報は、ユーザの眼の眼圧を含むことができる
【００９２】
いくつかの実施形態では、情報は、グルコース測定値を含むことができる。
【００９３】
いくつかの実施形態では、情報は、健康状態を含むことができる。
【００９４】
いくつかの実施形態では、情報は、眼の乾燥レベルを含むことができる。
【００９５】
いくつかの実施形態では、情報は、眼精疲労レベルを含むことができる。
【００９６】
いくつかの実施形態では、イヤホンは、コンタクトレンズからの信号を解釈するためのプロセッサを含むことができる。
【００９７】
いくつかの実施形態では、プロセッサは、コンタクトレンズからの信号の解釈に応答して、コンタクトレンズに指示を送ることができる。
【００９８】
いくつかの実施形態では、指示は、コンタクトレンズから眼に治療薬を放出することを含むことができる。
【００９９】
いくつかの実施形態では、指示は、コンタクトレンズを使用して測定を行うことを含むことができる。
【０１００】
いくつかの実施形態では、指示は、コンタクトレンズの光学的特性を変更することを含むことができる。
【０１０１】
いくつかの実施形態では、プロセッサは、コンタクトレンズからリモートデバイスに情報を送信することができる。
【０１０２】
いくつかの実施形態では、プロセッサは、情報をリモートデバイスに送信する前に、コンタクトレンズからの情報を変更することができる。
【０１０３】
いくつかの実施形態では、リモートデバイスは、パーソナルモバイルデバイスであり得る。
【図面の簡単な説明】
【０１０４】
添付の図面は、本装置の様々な実施形態を示しており、本明細書の一部をなす。図示の実施形態は、本装置の単なる例であり、その範囲を限定するものではない。
【０１０５】
【図１】図１は、本開示に係る眼に配置されたコンタクトレンズの例示的な断面図を示す。
【０１０６】
【図２】図２は、本開示に係る眼用デバイスと通信するためのシステムの例示的な概略図を示す。
【０１０７】
【図３】図３は、本開示に係る眼用デバイスの例示的なブロック図を示している。
【０１０８】
【図４】図４は、本開示に係る聴覚コンピューティングシステムの例示的なブロック図を示す。
【０１０９】
【図５】図５は、本開示に係る眼用デバイスを制御するためのシステムの例示的な概略図を示す。
【０１１０】
【図６】図６は、本開示に係る眼用デバイスと通信するための方法の例示的なフローチャートを示している。
【０１１１】
【図７】図７は、本開示に係る眼用デバイスと通信するための方法の例示的なフローチャートを示している。
【０１１２】
【図８】図８は、本開示に係る眼用デバイスと通信するための方法の例示的なフローチャートを示している。
【０１１３】
図面全体を通して、同一の参照番号は、類似しているが必ずしも同一ではない要素を示す。
【発明を実施するための形態】
【０１１４】
本明細書に記載の原理は、光学デバイスと通信することができる聴覚システムにワイヤレスレシーバーを組み込むことを含む。いくつかの実施形態では、このシステムは、眼用デバイスと通信する聴覚コンピューティングシステムを含むことができる。いくつかの実施形態では、この聴覚コンピューティングシステムは、ユーザの目から所定の距離に設定されたイヤホンであり得る。眼用デバイスは、コンタクトレンズ、眼鏡、サングラス、処方レンズ、埋め込み型レンズ、別のタイプの眼用レンズ、またはそれらの組み合わせであり得る。ワイヤレスレシーバーは、眼用デバイスにデータを送受信することができる。
【０１１５】
図１は、人間の眼１１０に対して配置されたコンタクトレンズ１０５の例を示す。コンタクトレンズ１０５は、角膜１１５として知られる、眼１１０の露出された外側部分、すなわち目の遠位表面の一部にまたがる。角膜１１５は、涙腺１２０によって形成された涙液で潤滑され得る。コンタクトレンズ１０５は、角膜１１５と接触し、涙液と接触することができる。
【０１１６】
コンタクトレンズ１０５は、任意の適切なタイプのコンタクトレンズであり得る。本開示と互換性があり得るコンタクトレンズの非網羅的なリストには以下の、ハードコンタクトレンズ、ハイドロゲルレンズ、シリコーンハイドロゲルレンズ、長時間装用コンタクトレンズ、球面コンタクトレンズ、トーリックコンタクトレンズ、多焦点コンタクトレンズ、モノビジョンコンタクトレンズ、硬質ガス透過性レンズ、トーリックレンズ、角膜矯正レンズ、別のタイプのコンタクトレンズ、またはそれらの組み合わせが含まれるが、これらに限定はされるものではない。いくつかの実施形態では、コンタクトレンズ１０５は、ユーザの虹彩の外観を変更するために着色された部分を組み込むことができる。
【０１１７】
コンタクトレンズ１０５の他の光学的および構造的特性は、より快適で良好に機能するコンタクトレンズ１０５を作るために調整および／または修正され得る。いくつかの実施形態では、コンタクトレンズ１０５は、修正されたベース曲線を含む。言い換えれば、コンタクトレンズ１０５は、広範囲の度数にわたって同じ体積のモノマーおよび同じベース曲線を有することができる。いくつかの実施形態では、度数範囲にわたるコンタクトレンズ１０５の修正ベース曲線は、７．５０から９．１０の範囲内から選択される。
【０１１８】
コンタクトレンズ１０５は、眼、眼瞼、および／または涙液の少なくとも１つのパラメータを測定するための器具を含むことができる。いくつかの例では、コンタクトレンズは、涙液の成分を測定するためのセンサーを含む。たとえば、涙液には、ユーザの糖尿病状態の兆候を表すことができるグルコースレベルが含まれうる。別の例では、コンタクトレンズに組み込まれたセンサーは眼の眼圧を測定することができる。これらの測定値は、コンタクトレンズから、ユーザの耳の中または近くに設置、装着、または配置された聴覚デバイスなどのウェアラブルデバイスに送信することができる。
【０１１９】
図２は、スマートコンタクトレンズシステム２００の例を示している。スマートコンタクトレンズシステム２００は、スマートコンタクトレンズ２０５、およびワイヤレスレシーバー３０５を含むことができる。スマートコンタクトレンズ２０５は、様々な機能を提供する一連の統合コンポーネントを含むことができる。例えば、スマートコンタクトレンズ２０５は、センサー２１５、アンテナ２２０、エネルギー源２２５、およびワイヤレストランシーバ２３０の組み合わせを含むことができる。スマートコンタクトレンズ２０５は、出力デバイス２３５およびユーザ通信デバイス２４０を含むことができる。一実施形態によれば、ワイヤレスレシーバー３０５、センサー２１５、アンテナ２２０、エネルギー源２２５、およびワイヤレストランシーバ２３０は、レンズの光学ゾーンの外側でコンタクトレンズに配置される。あるいは、統合された構成要素の１つまたは複数は、光学的に透明であるか、知覚できないほど小さいか、またはそうでなければレンズの光学ゾーン内に配置するのに適切なものとすることができる。
【０１２０】
センサー２１５は、一連の健康状態、周囲状態、レンズ適合性、および他の生体情報データを検出することができる。たとえば、センサーは一連のバイオマーカーまたはその欠如を検出できる。センサー２１５は、照明、湿度、風力、周囲温度、などの周囲状態を検出することができる。センサーが検出できる他の状態には、限定されるものではないが、視線追跡、眼圧、目の乾燥、目の焦点の状態、光感度、視野欠損、アイコンタクトを維持する能力、レンズの係合力、瞳孔に対するレンズの位置、心拍数、ｐＨ、タンパク質／ペプチド、脂質、電解質、代謝物、病原体、物理化学的パラメータ、他のタイプの状態、またはそれらの組み合わせが含まれる。センサー２１５はまた、糖尿病のための過剰なグルコースもしくはインスリンなどの他の健康状態を示す様々なバイオマーカー、または眼疾患もしくは全身性疾患を示す他のマーカーを検出することができる。
【０１２１】
出力デバイス２３５は、眼に投与することができる治療物質などの物質を含むリザーバを含むことができる。眼の状態の検出に応答して、または外部ソースからの検出に応答して、出力デバイス２３５は物質の少なくとも一部を放出することができる。出力デバイス２３５から放出され得る物質のタイプには、インスリン、水和物質、鎮痛剤、抗炎症剤、まつげ増強剤、他のタイプの物質、またはそれらの組み合わせが含まれ得るが、これらに限定されない。いくつかの例では、物質は液体である。さらに他の例では、物質は涙液に溶解することができる固体である。
【０１２２】
ユーザ通信デバイス２４０は、ユーザと通信するか、またはユーザの視力を変更するように構成された任意のシステムを含むことができる。ユーザ通信デバイス２４０は、コンタクトレンズ２０５の光学的特性を変更することができる。例えば、ユーザ通信デバイス２４０は、ユーザの視野内の視覚をフラッシュすることができる。これは、ユーザが利用できる一連の情報であり、単純なメッセージまたはより複雑なメッセージを含めることができる。たとえば、単に光や色を点滅させたり、健康状態や別の種類の状態を警告するために別の視覚的変化を生じさせたりすることが含まれる。健康障害がない場合、ユーザ通信デバイスは、緑色などの第１の色を点滅させることができる。不健康な状態は、赤などの第２の色を使用して示すことができる。いくつかの実施形態では、ユーザ通信デバイス２４０は、ユーザの視力を変えることができる。例えば、ユーザが運転のために変更された処方を必要とする場合、ユーザ通信デバイス２４０は、レンズの形状、形態、圧力、位置、または視覚面を動的に変更することによって、これらの要件を満たすようにコンタクトレンズ２０５を変更することができる。ユーザが読書のための設定を必要とする場合、ユーザ通信デバイス２４０は、読書のためにコンタクトレンズ２０５を修正することができる。ユーザ通信デバイス２４０は、様々な検出可能な条件に応答して視界を変更することができる。いくつかの実施形態では、ユーザはまた、視界を変更するための要求または要件を入力することができる。
【０１２３】
アンテナ２２０はまた、コンタクトレンズに組み込むことができる。いくつかの例では、アンテナは、ワイヤレスレシーバー３０５と通信することができる信号送信ワイヤを含む。他の例では、アンテナは、複数ループアンテナ、双極アンテナ、単極アンテナ、別のタイプのアンテナ、またはそれらの組み合わせを含むことができる。
【０１２４】
アンテナ構造体２２０は、ループまたはコイル構造を含むことができる。いくつかの例では、アンテナ構造体２２０は、図示のように、例えば、コイルまたはループ構造を含む導電線を含むことができる。導電線は、本明細書に記載の導電層を形成するために使用される導電性材料を含むことができ、約２５マイクロメートルから約２００マイクロメートル、または約５０マイクロメートルから約１００マイクロメートルの線幅を有することができる。いくつかの例では、アンテナ構造体２２０は、例えば、アンテナ構造の形態で導電性材料を上部導電層上に印刷することによって形成することができる。いくつかの例では、アンテナ構造体２２０は、タンプ印刷、インクジェット印刷、３Ｄ印刷、および他の適切な印刷方法を含むがこれらに限定されない任意の数の印刷方法によって、上部導電層に導電性材料を印刷することによって形成することができる。アンテナ構造体２２０はまた、導電層の上に配置された所望のアンテナ構造体２２０を含むステンシルの中に導電性材料を塗装または塗布するステンシルプロセスによって形成することができる。アンテナ構造体２２０を形成する他の方法は、当技術分野で知られているように利用することができ、または将来開発され得る。アンテナ構造体は、約０．１マイクロメートルから約２０マイクロメートル、約０．５マイクロメートルから約１５マイクロメートル、または約１マイクロメートルから約１０マイクロメートルの厚さを有することができる。したがって、いくつかの例では、アンテナ構造体２２０は、それが堆積または形成された後、上部導電層に組み込まれるか、または上部導電層の一部になることができる。一旦形成されると、アンテナ構造体は、後続のポリマー層によってカプセル化され、アンテナ構造体２２０または他のスマートコンタクトレンズ２０５のいずれかの構成要素と直接係合することから角膜を保護する。
【０１２５】
エネルギー源２２５は電池を含むことができる。電池は充電可能とすることができる。エネルギー源２２５は、最初から蓄積された電荷を有することができ、またはエネルギー源２２５は光センサー２６５によって充電することができる。エネルギー源２２５はグラフェンを含むことができる。いくつかの実施形態では、エネルギー源２２５は、コンタクトレンズの表面に印刷することができる。エネルギー源２２５はグラフェンプリント電池であり得る。いくつかの実施形態では、エネルギー源２２５は完全に印刷可能であり、平面構造を含み得る。いくつかの実施形態では、エネルギー源２２５は柔軟性があり、適切に長い貯蔵寿命を有することができる。エネルギー源２２５は、涙液にさらされる湿った環境で動作することができる。いくつかの実施形態では、エネルギー源２２５は、単位面積あたり約１マイクロアンペア毎平方ミリメートルの容量を有することができる。エネルギー源２２５は、単位体積あたり約２５マイクロアンペア毎立方センチメートルの容量を含むことができる。
【０１２６】
これらの構成要素は、コンタクトレンズ２０５の内面と外面とのいずれかに印刷するか、または他の方法で貼り付けることができる。いくつかの実施形態では、構成要素は、コンタクトレンズ２０５の様々な層の間に挟むことができる。コンタクトレンズ２０５の構成要素は、液体に沈められている間に機能することができる。他の実施形態では、構成要素は、コンタクトレンズ２０５内に密封またはカプセル化されることによって液体と接触するのを防ぐことができる。構成要素はまた、通信接続されたまま、コンタクトレンズ２０５の様々な層に配置され得る。
【０１２７】
ワイヤレスレシーバー３０５は、任意の適切な場所に配置することができる。いくつかの例では、ワイヤレスレシーバーは、ユーザが装着できる耳ベースのデバイスに組み込まれている。いくつかの例では、ワイヤレスレシーバー３０５は、ユーザの耳の中または近くに装着することができる。ワイヤレスレシーバー３０５をユーザの耳に配置することができるこれらの例では、ワイヤレスレシーバーは、コンタクトレンズから一定の距離に配置することができる。コンタクトレンズから一定の距離に配置することにより、コンタクトレンズのワイヤレストランスミッターが短い送信範囲を有するように構築することが可能になり、これは、より小さなおよび／またはより少ない構成要素をコンタクトレンズに組み込む必要があることを意味する。したがって、１２．０インチ（３０５ミリメートル）未満、好ましくは６．０インチ（１５２ミリメートル）未満の短い距離に一貫して配置されたワイヤレスレシーバーは、コンタクトレンズの設計および構築をより簡単にすることを可能にする。対照的に、ワイヤレストランスミッターがユーザによって携帯されるモバイルデバイスに組み込まれる場合、コンタクトレンズからのモバイルデバイスの距離は変化する可能性がある。たとえば、ある場合には、ユーザがモバイルデバイスに話しかけているときなど、モバイルデバイスをユーザの頭の近くに配置することができ、他の場合には、モバイルデバイスを隣接する部屋に置いたままにするか、別の人に借りられることがあり得る。したがって、モバイルデバイスと直接通信するようにされたコンタクトレンズは、そのような広い範囲に対応できるワイヤレストランスミッターを備えている必要がある。ユーザの耳にワイヤレスレシーバーを配置すればコンタクトレンズと耳との間の距離が一定となるため、コンタクトレンズにおける望ましいサイズと重量のパラメータを満たすことができる。一定の距離にすることにより、ターゲットを絞った予測可能な送信要件が可能になる。ターゲットを絞った予測可能な送信要件により、コンタクトレンズに組み込まれる部品のサイズと重量を減らすことができる。これは、軽量またはより複雑でないコンタクトレンズを提供することができ、および／またはより多くのセンサーまたは他の構成要素をコンタクトレンズの本体に組み込むための追加のスペースを提供することができる。さらに、いくつかの例では、コンタクトレンズは、毎日使い捨てのコンタクトレンズまたは定期的に交換されるコンタクトレンズであり得る。目標とする送信と予測可能な送信の要件により、コンタクトレンズの製造に関連するコストを削減できる。各コンタクトレンズは、短い空間プロトコルでコンタクトレンズと通信するように構築することができる。
【０１２８】
いくつかの例では、ワイヤレスレシーバーがユーザの耳に予測可能で一定の位置に配置されている場合のように、コンタクトレンズとワイヤレスレシーバーとの間の空間的関係が一定になる場合には、コンタクトレンズの送信を一方向に限定することができる。これにより、コンタクトレンズの構成要素のエネルギー需要を減らすこともできる。
【０１２９】
コンタクトレンズ２０５のブロック図が図３に示されている。コンタクトレンズ２０５は、アンテナ２２０、エネルギー源２２５、出力デバイス２３５、ユーザ通信デバイス２４０、および少なくとも１つのセンサー２１５を含むことができる。いくつかの実施形態では、コンタクトレンズ２０５はまた、トランシーバモジュール２３０、メモリ２５０、プロセッサモジュール２５５、および／またはデータバス２４５を含むことができる。
【０１３０】
トランシーバモジュール２３０は、１つのアンテナ２２０および／またはワイヤレスリンクを介して、ワイヤレスレシーバー３０５と双方向に通信することができる。例えば、トランシーバモジュール２３０は、１つまたは複数のスマートコンタクトレンズからワイヤレスレシーバー３０５への通信を受信し、および／または１つまたは複数のスマートコンタクトレンズと双方向に通信することができる。トランシーバモジュール２３０は、送信のためにアンテナ２２０に送信するパケットを変調することができる。パケットは、健康状態、周囲状態、適合性、圧力、レンズ位置、またはスマートコンタクトレンズ２０５によって検出された他の追跡されたパラメータに関する通信を含むことができる。いくつかの実施形態では、トランシーバ３４５は、指向性トランシーバであり得る。指向性トランシーバは、６インチ（１５２ミリメートル）未満の距離でメッセージを送信できる。いくつかの実施形態では、指向性トランシーバは、５インチ（１２７ミリメートル）以下の距離でメッセージを送信することができる。
【０１３１】
いくつかの実施形態では、スマートコンタクトレンズ２０５の１つの要素（例えば、アンテナ２２０、トランスミッター２３０）は、デジタル携帯電話接続、セルラーデジタルパケットデータ（ＣＤＰＤ）接続、デジタル衛星データ接続、および／または別の接続を含む無線技術を使用して接続を提供することができる。スマートコンタクトレンズ２０５に関連する信号は、無線周波数、電磁気、ローカルエリアネットワーク（ＬＡＮ）、ワイドエリアネットワーク（ＷＡＮ）、仮想プライベートネットワーク（ＶＰＮ）、（例えば、８０２．１１を使用する）無線ネットワーク、３４５ＭＨｚ、Ｚ−ＷＡＶＥ（登録商標）、セルラーネットワーク（たとえば、３Ｇおよび／またはＬＴＥを使用）、および／またはその他の信号などの無線通信信号を含むことができる。アンテナ２２０および／またはトランスミッター２３０は、ＷＷＡＮ（ＧＳＭ、ＣＤＭＡ、およびＷＣＤＭＡ（登録商標））、ＷＬＡＮ（ＢＬＵＥＴＯＯＴＨ（登録商標）およびＷｉ−Ｆｉを含む）、ＷＭＡＮ（ＷｉＭＡＸ）、モバイル通信用アンテナ、ワイヤレスパーソナルエリアネットワーク（ＷＰＡＮ）アプリケーション用のアンテナ（ＲＦＩＤおよびＵＷＢを含む）を含むか、またはこれらに関連することができるが、これらに限定されない。
【０１３２】
１つまたは複数のデータバス２４５は、コンタクトレンズ２０５の１つまたは複数の要素（例えば、プロセッサ２５５、出力デバイス２３５、ユーザ通信デバイス２４０、メモリ２５０など）間のデータ通信を可能にすることができる
【０１３３】
メモリ２５０は、ランダムアクセスメモリ（ＲＡＭ）、読み取り専用メモリ（ＲＯＭ）、フラッシュＲＡＭ、および／または他のタイプを含むことができる。メモリ２５０は、実行されると、プロセッサモジュール２５５に本開示に記載される様々な機能（例えば、バイオマーカーの存在または欠如に関する警告の受信、ユーザへの警告の伝達、出力デバイス２３５を介したユーザへの物質の投与、ユーザ通信デバイス２４０を介したユーザの視野の伝達または変更、および同様なプロセッサ実行機能））を実行させる指示を含む、コンピュータ可読でコンピュータ実行可能なソフトウェア／ファームウェアコード２６０を格納することができる。
【０１３４】
ワイヤレスレシーバー３０５の実施形態が図４に示されている。ワイヤレスレシーバー３０５は、アンテナ３１０、電源３１５、および加速度計３６０を含むことができる。ワイヤレスレシーバー３０５はまた、プロセッサモジュール３２０、およびメモリ３２５（ソフトウェア／ファームウェアコード（ＳＷ）３３０を含む）、入力／出力コントローラモジュール３３５、ユーザ入力／出力モジュール３４０、トランシーバモジュール３４５、および１つまたは複数のアンテナ３１０（それぞれが、例えば、１つまたは複数のバス３５０を介して、直接的または間接的に互いに通信することができる）を含むことができる。トランシーバモジュール３４５は、１つまたは複数のアンテナ３００および／または無線リンクを介して、スマートコンタクトレンズ２０５と双方向で通信することができる。例えば、トランシーバモジュール３４５は、１つまたは複数のスマートコンタクトレンズ２０５から通信を受信する、および／または、１つまたは複数のスマートコンタクトレンズ２０５と双方向に通信することができる。いくつかの実施形態では、トランシーバモジュール３４５は、リモートデバイス３５５と双方向で通信することができる。リモートデバイス３５５は、モバイルデバイス、ラップトップ、または他のデバイスを含むことができる。トランシーバモジュール３４５は、送信のためにパケットを変調して１つまたは複数のアンテナ３００に送信し、１つまたは複数のアンテナ３１０から受信したパケットを復調することができる。ワイヤレスレシーバー３０５は単一のアンテナ３１０を含むことができるが、複数の無線送信を同時に送信または受信することができる複数のアンテナ３１０を有することもできる。いくつかの実施形態では、トランシーバ３４５は、指向性トランシーバであり得る。
【０１３５】
いくつかの実施形態では、ワイヤレスレシーバー３０５は、前述の通信プロトコルを使用してコンタクトレンズと通信することができる。さらなる実施形態では、ワイヤレスレシーバー３０５はまた、リモートデバイス３５５と通信することができる。いくつかの実施形態では、ワイヤレスレシーバー３０５は、代わりに、有線送信を介してリモートデバイス３５５に接続することができる。いくつかの実施形態では、ワイヤレスレシーバー３０５の１つの要素（例えば、１つまたは複数のアンテナ３１０、トランシーバモジュール３４５など）は、デジタル携帯電話接続、セルラーデジタルパケットデータ（ＣＤＰＤ）接続、デジタル衛星データ接続、および／または別の接続を含む無線技術を使用して接続を提供することができる。ワイヤレスレシーバー３０５に関連する信号は、無線周波数、電磁気、ローカルエリアネットワーク（ＬＡＮ）、ワイドエリアネットワーク（ＷＡＮ）、仮想プライベートネットワーク（ＶＰＮ）、無線ネットワーク（例えば、８０２．１１を使用）などの無線通信信号、３４５ＭＨｚ、Ｚ−ＷＡＶＥ（登録商標）、セルラーネットワーク（たとえば、３Ｇおよび／またはＬＴＥを使用）、および／またはその他の信号を含むことができる。１つまたは複数のアンテナ３１０および／またはトランシーバモジュール３４５は、ＷＷＡＮ（ＧＳＭ、ＣＤＭＡ、およびＷＣＤＭＡ（登録商標））、ＷＬＡＮ（ＢＬＵＥＴＯＯＴＨ（登録商標）およびＷｉ−Ｆｉを含む）、ＷＭＡＮ（ＷｉＭＡＸ）、モバイル通信用のアンテナ、ワイヤレスパーソナルエリアネットワーク（ＷＰＡＮ）アプリケーション用のアンテナ（ＲＦＩＤおよびＵＷＢを含む）を含むか、またはこれらに関連することができるが、これらに限定されない。。いくつかの実施形態では、各アンテナ３１０は、それ自体に固有の、および／またはそれ自体に排他的であることができる、または排他的ではない信号または情報を受信することができる。
【０１３６】
いくつかの実施形態では、ユーザ入力出力モジュール３４０は、外部スピーカーシステム、視覚的ディスプレイ、および／または入力デバイスなどのオーディオデバイスを含むことができる。スピーカーは、１つまたは複数のバイオマーカーが存在するか存在しない、および／または所定の閾値に達したときに、可聴出力を提供するようにすることができる。例えば、バイオマーカーが存在するか、またはバイオマーカーが少なくとも１つのセンサー（例えば、センサー２１５）によって検出される所定の閾値に達すると、ワイヤレスレシーバー３０５は、センサー２１５からの通信を受信し、ユーザに可聴警告を鳴らすことができる。いくつかの実施形態では、スクリーンまたはライトなどの視覚的ディスプレイが、追加的および／または代替的に、ユーザに不健康な状態を警告することができるようにすることができる。いくつかの実施形態では、ワイヤレスレシーバー３０５はまた、振動するか、または別の触覚出力を提供してユーザに警告することができる。
【０１３７】
いくつかの実施形態では、ワイヤレスレシーバー３０５はさらに、不健康な状態をリモートデバイス３４５に通信することができる。リモートデバイス３４５は、ワイヤレスレシーバー３０５とともに、不健康な状態についてユーザまたは他の人に警告し続けることができる。
【０１３８】
他の実施形態では、コンタクトレンズ２０５は、周囲または他のタイプの情報をワイヤレスレシーバー３０５に伝達することができる。例えば、コンタクトレンズ２０５は、目の乾燥、体温、気象条件（曇り、日当たりが良いなど）、コンピュータまたはテクノロジーの使用法、光学的圧力、レンズの適合性、摩擦検出、レンズの位置、およびその他の信号ベースの情報を伝達することができる。
【０１３９】
加速度計３６０は、ワイヤレスレシーバー３０５に関する動き情報を監視することができる。例えば、ワイヤレスレシーバー３０５が頭（すなわち、耳またはイヤリング）に装着されている場合、ワイヤレスレシーバー３０５は、ユーザの頭の動きまたは向きを検出することができる。この情報から、ワイヤレスレシーバー３０５は、ユーザが見下ろしているときに、ユーザが読書をしているか、または別のタスクを実行していると推測することができる。加速度計からの入力はまた、ユーザが運転中、歩行中、走行中、旅行中、または他の方法で移動しているときをワイヤレスレシーバー３０５が判定するのを支援することができる。ワイヤレスレシーバー３０５はまた、ユーザが頭部外傷を受けているかどうか、および潜在的な脳震盪のために様々な眼の指標を監視する必要があるかどうかを判定することができる。いくつかの実施形態では、ワイヤレスレシーバー３０５は、加速度計による検出に基づいて、眼用デバイスの光学的特性を変更することができる。
【０１４０】
１つまたは複数のバス３５０は、ワイヤレスレシーバー３５０の１つまたは複数の要素（例えば、プロセッサモジュール３２０、メモリ３２０、Ｉ／Ｏコントローラ３３５、ユーザインターフェースモジュール３４０、加速度計３６０など）間のデータ通信を可能にすることができる。
【０１４１】
メモリ３２５は、ランダムアクセスメモリ（ＲＡＭ）、読み取り専用メモリ（ＲＯＭ）、フラッシュＲＡＭ、および／または他のタイプを含むことができる。メモリ３２５は、実行されると、プロセッサモジュール３２０に本開示に記載された様々な機能（例えば、バイオマーカーの存在に関する警告の受信、ユーザへの警告の伝達、眼用デバイスからの情報の要求、および同様のプロセッサベースの機能）を実行させる指示を含む、コンピュータ可読でコンピュータ実行可能なソフトウェア／ファームウェアコード３３０を格納することができる。
【０１４２】
図５は、ユーザ５０５が装着しているシステム５００の例の概略図である。ユーザ５０５は、第１の眼５１５に第１のコンタクトレンズ５１０を有し、第２の眼５２５に第２のコンタクトレンズ５２０を有することができる。ワイヤレスレシーバー５５５を第１の耳５３０内に配置することができる。いくつかの実施形態では、第２のワイヤレスレシーバー５６０を第２の耳５３５内に配置することができる。第１のコンタクトレンズ５１０は、図２乃至図４を参照して論じたスマートコンタクトレンズ２０５とすることができる。第２のコンタクトレンズ５２０もまたスマートコンタクトレンズ２０５とすることができる。
【０１４３】
例えば、各コンタクトレンズ５１０、５２０は、スマートコンタクトレンズ２０５としてバイオマーカー、健康状態、周囲状態、またはユーザ５０５の目に存在する他の状態を検出するようにすることができる。ワイヤレスレシーバー５５５、５６０は、接続されるコンタクトレンズ５１０、５２０に近い方の耳にそれぞれ配置される。ワイヤレスレシーバー５５５、５６０をユーザの耳５３０、５３５に又はその近くに取り付け可能とすることにより、コンタクトレンズ５１０、５２０とワイヤレスレシーバー５５５、５６０との間の短い信号距離を提供できる。いくつかの実施形態では、距離は６インチ（１５２ミリメートル）未満であり得る。いくつかの実施形態では、距離は５インチ（１２７ミリメートル）以下であり得る。ユーザの目と焦点が変化しても、この距離はほとんど変化しない。コンタクトレンズ５１０、５２０が使用されている限り、この距離は相対的な範囲で予測可能である。予測可能な一定の距離は、コンタクトレンズ５１０、５２０からワイヤレスレシーバー５５５、５６０への信号の所望の強度の予測可能性を提供する。ウェアラブルワイヤレスレシーバー５５５、５６０を有することはまた、レシーバー５５５、５６０が所定の距離内に留まることを提供する。ワイヤレスレシーバー５５５、５６０は、コンタクトレンズ５１０、５２０に対して、ユーザの耳５３０、５３５内で一定の場所にある。ワイヤレスレシーバー５５５、５６０は、ユーザの他の場所に配置することができる。例えば、イヤホン、ウェアラブル時計、ピン、クリップ、ネックレス、イヤリングなどのワイヤレスレシーバーがあり得る。
【０１４４】
ワイヤレスレシーバー５５５、５６０は、不健康な状態についてユーザに警告することができ、および／またはユーザに関連付けられたデバイスにメッセージを送信することができる。例えば、ワイヤレスレシーバー５５５、５６０は、モバイルデバイスまたはユーザに関連付けられた他のデバイスにメッセージを送信することができる。ワイヤレスレシーバー５５５、５６０は、通信をより遠くに送信するために、より長いデータ範囲を有することができる。これにより、ユーザが耳や他の場所でメッセージを聞いたり受信したりすることをしなかった場合に、ユーザが指示された警告を受け取ることができる。いくつかの実施形態では、ワイヤレスレシーバー５５５、５６０は、メッセージを人々のネットワークに通信するか、または通信させることができる。例えば、状態が安全上の危険またはユーザにとって潜在的に危険である場合、ワイヤレスレシーバー５５５、５６０は、ユーザの緊急連絡先リストに連絡するためにモバイルデバイスにメッセージを送信することができる。これにより、緊急連絡によりユーザの安全と安否を確認できるようになる。たとえば、ユーザが糖尿病患者であり、糖尿病性ショックを受けて倒れた場合、モバイルデバイスは、ユーザの状態とユーザの場所に関する緊急連絡システムを作動させることができる。あるいは、コンタクトレンズ５１０、５２０によって収集されたデータは、ワイヤレスレシーバー５５５、５６０に送信され、続いて、医療提供者、検眼医または眼科医、コンタクトレンズ製造業者、親、および／または緊急時対応者に送信され得る。
【０１４５】
いくつかの実施形態では、両方のコンタクトレンズ５１０、５２０がスマートコンタクトレンズ２０５であり、同じ所定の条件または要因に対して二重検出システムを提供する。他の実施形態では、各コンタクトレンズ５１０、５２０は、スマートコンタクトレンズ２０５であり得るが、異なる指標を検出することができる。例えば、一方のコンタクトレンズ５１０は糖尿病患者のグルコースを検出することができ、他方のコンタクトレンズ５２０は緑内障または一般的な健康指標などをサンプリングすることができる。いくつかの実施形態では、ユーザがＨＩＶまたは他の自己免疫不全などの既存の状態を有する場合、コンタクトレンズ５１０、５２０の一方または両方は、病気の存在または病気の状況の指標を検出することができる。各コンタクトレンズ５１０、５２０は、より包括的な診断アプローチを提供するために、それぞれ１つまたは複数の指標を個別に検出することも、共に同じ指標を検出することも、共に異なる指標を検出することもできる。
【０１４６】
同様に、各コンタクトレンズ５１０、５２０は、ユーザに配布するために同じ物質を保持することができ、またはユーザがそれを必要とする場合、異なる物質を保持することができる。例えば、各コンタクトレンズ５１０、５２０は、ある用量のインスリンを含むことができる。これにより、システム５００は、存在するグルコース濃度に応じて、インスリンの一方または両方のセットをユーザに注入することができる。他の実施形態では、ユーザは、様々な環境および医学的状態に対して異なるまたは代替の薬物療法を要求することができる。
【０１４７】
図６は、スマートシステムを使用する方法６００の例を示している。この例では、方法６００は、コンタクトレンズをユーザの目に配置するステップ６０５、ワイヤレスレシーバーをユーザに配置するステップ６１０、ワイヤレスレシーバーでメッセージを受信するステップ６１５、メッセージをユーザに送信するステップ６２０、および物質を投与するステップ６２５を有する。
【０１４８】
ブロック６０５において、コンタクトレンズがユーザの目に配置される。ブロック６１０で、ワイヤレスレシーバーがユーザに配置される。ワイヤレスレシーバーは、イヤホンとしてレシーバーの耳に配置することも、別のタイプのウェアラブルデバイスにすることもできる。たとえば、ワイヤレスレシーバーには、ユーザの耳の近くとされるスマートイヤリングが含まれうる。このデバイスは、ネックレスとして、または時計やブレスレットとして装着可能とすることができる。いくつかの実施形態では、デバイスは、リングや、ユーザが衣服に取り付けることができるブローチまたはピンであり得る。ブロック６１５において、方法６００は、メッセージの受信をすることができる。例えば、コンタクトレンズに近接するセンサーは、選択された状態を示す特定のレベルのバイオマーカーを検出することができる。所定の閾値に達すると、センサーはスマートコンタクトレンズを作動させて、ワイヤレスレシーバーにメッセージを送信することができる。ワイヤレスレシーバーは、ユーザに不健康な状態を示すことができる。センサーは、周囲状態、照明状態、温度、湿度、摩擦、レンズ位置などの他の状態を判定することもできる。スマートコンタクトレンズは、ユーザにメッセージを送信することができる。
【０１４９】
いくつかの実施形態では、ブロック６２０で、ワイヤレスレシーバーはメッセージをユーザに送信することができる。いくつかの実施形態では、メッセージは、ユーザの耳の可聴ノイズであり得る。他の実施形態では、ワイヤレスレシーバーは振動するか、または別の触覚応答を提供することができる。いくつかの実施形態では、ワイヤレスレシーバーは、ユーザに関連付けられたデバイスにメッセージを送信することができる。さらなる実施形態では、ワイヤレスレシーバーは、スマートコンタクトレンズを介してユーザにメッセージを送り返すことができる。例えば、ワイヤレスレシーバーは、スマートコンタクトレンズに埋め込まれたユーザ通信デバイス（例えば、ユーザ通信デバイス２４０）にメッセージを送信することができる。ユーザ通信デバイスは、ユーザの視野内でメッセージをフラッシュできる。メッセージは、書き込み、コード化、アニメーション化、描画、またはその他の通信方法で行うことができる。いくつかの実施形態では、ユーザが２つのスマートコンタクトレンズを装着している場合、警告は、検出された方の眼または両方の眼に写されるようにすることができる。
【０１５０】
いくつかの実施形態では、健康警告が片方の目に存在してメッセージがワイヤレスレシーバーに送信された場合、そのワイヤレスレシーバーは第２のワイヤレスレシーバーと、またはユーザが１つのワイヤレスレシーバーしか有していない場合には第２の接触レンズと通信できるようにすることができる。例えば、両方のコンタクトレンズがグルコースを検出し、一方のコンタクトレンズが高レベルのグルコースを検出した場合、そのワイヤレスレシーバーは、第２のスマートコンタクトレンズまたは第２のワイヤレスレシーバーと通信して、第２のスマートコンタクトレンズもそのグルコース濃度を検出しているかどうかを判定することができる。これにより、ユーザがインスリンを投与する前に確認を行うことができる。
【０１５１】
例えば、ブロック６２５において、この方法は、物質をユーザに投与することを含むことができる。例えば、スマートコンタクトレンズは、出力デバイス（例えば、出力デバイス２３５）を含むことができる。出力デバイスは、１つまたは複数の検出された健康上の懸念に対処できる物質を含むことができる。例えば、物質は、高い濃度のグルコースに対抗するためのインスリンであり得る。この物質は、ドライアイに対抗するための水和物質である得る。物質は、痛みに対抗するための麻酔薬または鎮痛剤である可能性がある。いくつかの実施形態において、物質は、これらには限定はされないが、甲状腺の不調、癌、ドライアイ、緑内障、および結膜炎を含む多数の疾患の任意の組み合わせに関連したものとすることができる。
【０１５２】
図７は、ユーザに警告する方法７００の例を示している。この方法７００は、ユーザが装着している眼用デバイスから情報を受信するステップ７０５、眼用デバイスからの情報を分析するステップ７１０、眼用デバイスおよび／または第三者にメッセージを送信するステップ７１５を含む。
【０１５３】
例えば、方法７００は、ブロック７０５においてユーザが装着している眼用デバイスから情報を受け取ることができる。情報は生データであり、ワイヤレスレシーバーに直接送信できる。生データには、眼用デバイスの近接位置にある１つまたは複数のセンサーによって検出された複数の要因を含むようにすることができる。眼用デバイスは、コンタクトレンズとすることができる。
【０１５４】
方法７００は、ブロック７１０において情報を分析するステップ７１５を含むことができる。情報は、グルコース測定値、健康状態、眼の乾燥レベル、眼精疲労レベルなどを含むことができる。情報を分析して、特定の生データが何を示しているかを判定できる。いくつかの実施形態では、生データを分析して、特定の閾値が満たされているかどうかを判定することができる。例えば、ユーザが糖尿病である場合、方法７００は、情報を分析して、グルコース濃度が不健康の閾値に到達したかどうかを判定する(ステップ７１０)ことができる。
【０１５５】
方法７００は、ブロック７１５において分析された情報に関して眼用デバイスおよび／または第三者にメッセージを送信することを含むことができる。いくつかの実施形態では、メッセージは、眼用デバイスの光学的特性の変化を引き起こすことができる。例えば、眼用デバイスは、ユーザ通信デバイス（例えば、ユーザ通信デバイス２４０）を含むことができる。ユーザ通信デバイスは、ユーザの視線にメッセージを表示できる。メッセージは、言葉や画像などで書くことができる。メッセージは、しきい値が満たされているかどうかを示すことができる。たとえば、ユーザが糖尿病患者の場合、メッセージはグルコース濃度を示すことができる。いくつかの実施形態では、具体的な濃度を伝達することができる。他の実施形態では、基本的なはい／いいえ、または所定の閾値より上／下を伝達することができる。アクションが必要な場合、この方法は、データに関する情報、および情報が必要とする１つまたは複数の所定のアクションに関する情報を送信することができる。いくつかの実施形態では、方法７００は、ユーザにデータに関する１つまたは複数の入力を要求することができる。例えば、ユーザのグルコース濃度が健康的な閾値を超えている場合、方法７００は、インスリン治療を実施することの許可を要求することができる。他の実施形態では、治療は自動で行うことができ、方法７００は、治療をユーザに伝えることができる。いくつかの実施形態では、ユーザが読むのに苦労していることを情報が示している場合、または明るすぎるか暗すぎる場合に、眼用デバイスの変化を引き起こすことができる。例えば、眼用デバイスの処方を変更することができ、または眼用デバイスの不透明度の変更を引き起こすことができる。あるいは、分析された情報に関するメッセージを医療専門家に送信して、オルソＫレンズの使用などの治療目的で分析したり、コンタクトレンズメーカーに装着性と適合性のパラメータを知らせたり、または緊急時要員に患者の状態を知らせたりする。
【０１５６】
いくつかの実施形態では、方法７００は、分析された情報をリモートデバイスに送信することを含むことができる。リモートデバイスは、ユーザのリモートデバイス、サーバー、クラウドコンピューティングデバイス、またはサードパーティの場合がある。
【０１５７】
図８は、眼用デバイスを変更する方法８００の例を示している。この方法８００は、ユーザが装着しているワイヤレスデバイスから情報を受信するステップ８０５、ワイヤレスデバイスからの情報を分析するステップ８１０、および眼用デバイスの光学的特性の変化を促すステップ８１５を含む。
【０１５８】
例えば、ブロック８０５においては、ユーザが装着しているデバイスから情報を受信することを含むことができる。ワイヤレスデバイスには、ウェアラブルテクノロジーを含めることができる。いくつかの実施形態では、ワイヤレスデバイスは、イヤホンを含むことができる。イヤホンは、ユーザの耳の近くに配置または装着される。イヤホンには、ユーザの頭の動きを検出できる１つまたは複数の加速度計とその他のセンサーを含めることができる。
【０１５９】
ブロック８１０において、ワイヤレスレシーバーからの情報を分析することを含むことができる。例えば、方法８００は、ユーザの頭の動きおよびユーザの動きに関する特定のアクションを判定することができる。たとえば、ユーザは読むために頭を下げることができる。他の実施形態では、ワイヤレスレシーバーは、モバイルデバイス、ラップトップ、コンピュータ、専用レシーバー、またはスマートウォッチなどであるがこれらに限定されない、ユーザに関連付けられた１つまたは複数のデバイスに接続することができる。ワイヤレスレシーバーは、デバイスがユーザから所定の距離内にあり、デバイスが使用中であり、ユーザが現在デバイスを使用していることを示す情報を受信することができる。
【０１６０】
ブロック８１５において、方法８００は、分析に基づいて眼用デバイスの光学的特性の変化を促すことを含むことができる。例えば、ユーザが読んでいる場合、方法８００は、眼用デバイスを動作させて処方強度を変更し、ユーザがより読みやすくすることができるようにすることができる。ユーザが読んだりリモートデバイスを使用したりしている場合も、同じことが言える。一実施形態によれば、コンタクトレンズは、アクティブ化されると、レンズの形状、厚さ、形状、および／または光学的特性を予測可能に収縮または変化させる収縮可能なリング、弾性部材、または他の形状修正部材を含むことができる。
【０１６１】
いくつかの実施形態では、方法８００はまた、変化を引き起こすために眼用デバイスからの情報を要求することができる。例えば、方法８００は、視覚情報、健康状態情報、緊張情報、生体情報、適合データ、運動データ、位置データ、または眼用デバイスによって測定可能な他の関連データを眼用デバイスから要求することができる。次に、方法８００は、この情報を分析し、１つまたは複数のアクションをとる必要があるかどうかを判定することができる。
【０１６２】
眼用デバイスと通信するための例示的なシステムは、トランスミッターを含む眼用デバイス、および眼用デバイスと通信する聴覚コンピューティングシステムを含む。
【０１６３】
このシステムでは、聴覚コンピューティングシステムが、眼用デバイスと通信するワイヤレス通信デバイスを備えるようにすることができる。
【０１６４】
このシステムでは、眼用デバイスがコンタクトレンズを含むようにすることができる。
【０１６５】
このシステムでは、コンタクトレンズが埋め込み型レンズをさらに含むようにすることができる。
【０１６６】
このシステムではさらに、眼用デバイスが、本体、本体に結合されたアンテナ、アンテナに接続されたエネルギー源、アンテナと通信するワイヤレストランシーバ、および本体に結合されてこのワイヤレストランシーバと通信するセンサーを含むようにすることができる。
【０１６７】
このシステムでは、本体に結合された出力デバイスを含むことができ、出力デバイスはユーザが眼用デバイスを装着しているときにユーザに投与するための物質を保持する。
【０１６８】
このシステムではさらに、聴覚コンピューティングシステムが受信信号に応答してユーザの目に物質を投与するように出力デバイスを動作させるように構成されているようにすることができる。
【０１６９】
このシステムでは、眼用デバイスの本体に結合され、眼用デバイスの修正によってユーザの視野を変更するように構成されたユーザ通信デバイスをさらに含むようにすることができる。
【０１７０】
このシステムでは、聴覚コンピューティングシステムがユーザ通信デバイスを動作させて眼用デバイスの光学的特性を変更するように構成されているようにすることができる。
【０１７１】
このシステムにおいては、眼用デバイスの光学的特性を変更することが、ユーザへのメッセージを表示するようにすることを含むことができる。
【０１７２】
このシステムおいては、光学的特性を変更することが、検出された使用状態に基づいてコンタクトレンズの処方を変更するようにすることを更に含むことができる。
【０１７３】
このシステムでは、聴覚コンピューティングシステムが、プロセッサモジュールを含むウェアラブルワイヤレスデバイスと、プロセッサモジュールと通信するアンテナとをさらに含み、このアンテナが、眼用デバイスとの通信を容易にするようにすることをさらに含むことができる。
【０１７４】
このシステムでは、第２の眼用デバイスをさらに含むことができ、聴覚コンピューティングシステムが第２の眼用デバイスと通信するように構成されるようにすることができる。
【０１７５】
このシステムでは、第２の眼用デバイス、および第２の眼用デバイスと通信するように構成された第２の聴覚コンピューティングシステムをさらに含むことができる。
【０１７６】
このシステムではさらに、聴覚コンピューティングシステムが、ユーザの頭に固定可能なウェアラブルデバイスをさらに含むことようにすることができる。
【０１７７】
このシステムではさらに、聴覚コンピューティングシステムが加速度計をさらに含み、ウェアラブルデバイスがユーザに装着されたときにユーザの動きに応答して、加速度計がユーザの動きを検出するように構成されるようにすることができる。
【０１７８】
このシステムでは、聴覚コンピューティングシステムが、加速度計による検出に基づいて眼用デバイスの光学的特性を変更するように構成されていることをさらに含むようにすることができる。
【０１７９】
このシステムでは、聴覚コンピューティングシステムが、眼用デバイスからのデータを収集および分析するように構成されていることをさらに含むようにすることができる。
【０１８０】
このシステムでは、聴覚コンピューティングデバイスが外部コンピューティングシステムにデータを送信するように構成されるようにすることをさらに含むことができる。
【０１８１】
このシステムでは、外部コンピューティングシステムがクラウドコンピューティングシステムを含むようにすることができる。
【０１８２】
このシステムでは、眼用デバイスがユーザの目に埋め込まれるようにすることができる。
【０１８３】
このシステムでは、聴覚コンピューティングシステムおよび眼用デバイスがユーザによって装着されたときに、聴覚コンピューティングシステムおよび眼用デバイスが互いに一定の距離で離間するように構成されるようにすることができる。
【０１８４】
システムではさらに、聴覚コンピューティングデバイスがウェアラブルデバイスを含み、眼用デバイスがユーザによって装着されるように構成されたコンタクトレンズを含むことを含むようにすることができる。
【０１８５】
このシステムでは、ウェアラブルデバイスがイヤホンを含むことができる。
【０１８６】
このシステムでは、イヤホンが所定の送信範囲を含むようにすることができる。
【０１８７】
このシステムでは、所定の送信範囲が６インチ（１５２ミリメートル）未満であるようにすることができる。
【０１８８】
このシステムではさらに、イヤホンが集束トランスミッターを含み、イヤホンがユーザの耳に装着されたときに、送信をユーザの目に向けるようにすることができる。
【０１８９】
このシステムではさらに、イヤホンは、イヤホンそれがユーザの耳に装着されて眼用デバイスがユーザの目に配置されたときに、眼用デバイスからの送信を受信するように構成された集束レシーバーを備えるようにすることができる。
【０１９０】
ユーザに警告する例示的な方法は、ユーザが装着した眼用デバイスからイヤホンが情報を受信し、眼用デバイスからの情報を分析し、分析された情報に関して眼用デバイスにメッセージを送信することを含む。
【０１９１】
この方法では、情報を分析することが、所定の閾値が満たされているかどうかを判定することとすることができる。
【０１９２】
この方法は、所定の閾値が満たされたときにユーザに警告することをさらに含むことができる。
【０１９３】
この方法は、所定のアクションを実行する際にユーザからの入力を要求することをさらに含むことができる。
【０１９４】
この方法はさらに、所定のアクションが物質をユーザに投与することを含むことようにすることができる。
【０１９５】
この方法は、所定の閾値が満たされないときにユーザに警告することをさらに含むことができる。
【０１９６】
この方法は、眼用デバイスの処方強度の変化を生じるようにすることをさらに含むことができる。
【０１９７】
この方法は、眼用デバイスの光学的特性の変化を引き起こすことをさらに含むことができ、メッセージをユーザの視野内で眼用デバイスに表示させるようにすることをさらに含む。
【０１９８】
この方法は、分析された情報をリモートデバイスに送信することをさらに含むことができる。
【０１９９】
この方法では、リモートデバイスがクラウドコンピューティングデバイスを含むようにすることができる。
【０２００】
この方法は、安全警告を受信すること、および安全警告をユーザに関連付けられたリモートデバイスに送信することをさらに含むことができる。
【０２０１】
この方法では、安全警告がユーザの位置および安全メッセージを含むようにすることができる。
【０２０２】
眼用デバイスを変更する例示的な方法は、ユーザが装着するワイヤレスレシーバーから情報を受信し、ワイヤレスレシーバーからの情報を分析し、分析に基づいて眼用デバイスの光学的特性の変更を促すことを含む。
【０２０３】
この方法は、ユーザの頭の動きを検出することをさらに含むことができる。
【０２０４】
この方法は、眼用デバイスの光学的特性の変更を促すことをさらに含み、眼用デバイスの処方強度の変更を促すことをさらに含むことができる。
【０２０５】
この方法は、眼用デバイスからの情報を要求すること、および眼用デバイスからの情報を分析することをさらに含むことができる。
【０２０６】
この方法は、眼用デバイスからの情報の分析に基づいて、眼用デバイスの光学的特性の変更を促すことをさらに含むことができる。
【０２０７】
別の例示的なコンタクトレンズシステムは、本体、本体に配置された少なくとも１つのセンサーを有する第１のコンタクトレンズ、第１のコンタクトレンズと通信するウェアラブルワイヤレスレシーバーを含む。
【０２０８】
このコンタクトレンズシステムでは、ウェアラブルワイヤレスレシーバーがイヤホンを含むようにすることができる。
【０２０９】
このコンタクトレンズシステムでは、第１のコンタクトレンズが、第１のコンタクトレンズの本体に配置された指向性トランスミッターをさらに含むようにすることができる。
【０２１０】
このコンタクトレンズシステムではさらに、イヤホンがコンタクトレンズに向けられた指向性レシーバーをさらに含むようにすることができる。
【０２１１】
このコンタクトレンズシステムでは、第１のコンタクトレンズがアンテナをさらに含み、アンテナが６インチ（１５２ミリメートル）以下の送信範囲を有するようにすることができる。
【０２１２】
このコンタクトレンズシステムは、少なくとも１つのセンサーと通信する第１のコンタクトレンズの本体に配置されたプロセッサモジュール、およびこの第１のコンタクトレンズの本体に配置されて少なくとも１つのセンサーと通信するアンテナをさらに含むことができる。
【０２１３】
このコンタクトレンズシステムは、第１のコンタクトレンズの本体に配置され、アンテナとつながれた電池をさらに含むことができる。
【０２１４】
このコンタクトレンズシステムでは、コンタクトレンズがユーザの目に装着されるように構成され、ワイヤレストランシーバがイヤホンであるようにすることができる。
【０２１５】
このコンタクトレンズシステムでは、ワイヤレスレシーバーが所定の送信範囲および集束された送信方向を備えたイヤホンを含むようにすることができる。
【０２１６】
このコンタクトレンズシステムでは、所定の送信範囲が６インチ（１５２ミリメートル）未満であるようにすることができる。
【０２１７】
このコンタクトレンズシステムでは、コンタクトレンズが生データをワイヤレスレシーバーに送信するように構成されるようにすることができる。
【０２１８】
このコンタクトレンズシステムでは、ワイヤレスレシーバーがイヤホンを含み、コンタクトレンズが情報をイヤホンに送信するようにすることができる。
【０２１９】
例示的なイヤホンは、可聴音を生成するように構成されたスピーカー、およびコンタクトレンズと通信するトランスミッターを含むことができる。
【０２２０】
このイヤホンはさらに、それがユーザの耳に取り付けられたときに、トランスミッターがユーザの目の方向から信号を受信する指向性レシーバーを含む。
【０２２１】
このイヤホンではさらに、可聴音がコンタクトレンズから送信された情報に基づくメッセージを含むようにすることができる。
【０２２２】
このイヤホンでは、情報がユーザの眼の眼圧を含むようにすることができる。
【０２２３】
このイヤホンでは、情報がグルコース読み取り値を含むようにすることができる。
【０２２４】
このイヤホンでは、情報が健康状態を含むようにすることができる。
【０２２５】
このイヤホンでは、情報が眼の乾燥レベルを含むようにすることができる。
【０２２６】
このイヤホンでは、情報が眼精疲労レベルを含むようにすることができる。
【０２２７】
このイヤホンは、コンタクトレンズからの信号を解釈するように構成されたプロセッサをさらに含むことができる
【０２２８】
このイヤホンでは、コンタクトレンズからの信号の解釈に応答してコンタクトレンズに指示を送信するようにプロセッサが構成されているようにすることができる。
【０２２９】
このイヤホンではさらに、指示がコンタクトレンズから眼に治療薬を放出することを含むようにすることができる。
【０２３０】
このイヤホンではさらに、指示がコンタクトレンズを使用して測定を行うことを含むようにすることができる。
【０２３１】
このイヤホンではさらに、指示がコンタクトレンズの光学的特性を変更することを含むようにすることができる。
【０２３２】
このイヤホンではさらに、プロセッサがコンタクトレンズからリモートデバイスに情報を送信するように構成されるようにすることができる。
【０２３３】
このイヤホンでは、情報をリモートデバイスに送信する前に、コンタクトレンズからの情報を修正するようにプロセッサが構成されるようにすることができる。
【０２３４】
このイヤホンでは、リモートデバイスがパーソナルモバイルデバイスを含むようにすることができる。
【０２３５】
コンタクトレンズに関して本明細書で使用される場合、「頂部」または「上部」という用語は、概ね、ユーザが意図するように装着されたときのコンタクトレンズの外面を方向的に指し、「底部」または「下部」という用語は、概ね、レンズの内面または眼に面する面を方向的に指す。そのような用語は、参照のために、および本開示の理解を助けるために使用され、本開示の範囲を制限することを意図するものではない。例えば、本明細書にあるように、例示的なレンズの一実施形態では、コンタクトレンズの外側上面に形成されている可変静電容量センサーを説明する。しかし、この可変静電容量センサーは、レンズの上部、下部、または内層に形成できる。
【０２３６】
本明細書（特許請求の範囲以外）で使用されている寸法や物理的特性などを表現している全ての数値および表現は、そうでないと示唆されていない限り、「約」との用語によって如何なる場合においても変更可能であると理解される。少なくとも、そして特許請求の範囲への均等論の適用を限定する試みとしてではなく、「約」との用語によって修正された本明細書または特許請求の範囲で引用された各数値パラメータは、引用された有効数字の数にしたがって、および通常の丸め技術によって、少なくとも解釈されるべきである。
【０２３７】
さらに、本明細書に開示されるすべての範囲は、そこに含まれるありとあらゆるサブレンジまたはありとあらゆる個々の値を記載する特許請求の範囲をカバーし、サポートするものと理解されるべきである。たとえば、１から１０の範囲は、最小値１と最大値１０および／またはそれらの間を含むすべてのサブレンジまたは個々の値、つまり、最小値が１以上で始まり、最大値が１０以下で終わるすべてのサブレンジ（たとえば、５．５から１０、２．３４から３．５６など）または１から１０までの任意の値（たとえば、３、５．８、９．９９９４など）を記載する特許請求の範囲をカバーし、サポートするとする理解すべきである。
【図１】
2021515916.tif 000003
【図２】
2021515916.tif 000004
【図３】
2021515916.tif 000005
【図４】
2021515916.tif 000006
【図５】
2021515916.tif 000007
【図６】
2021515916.tif 000008
【図７】
2021515916.tif 000009
【図８】
2021515916.tif 000010
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
トランスミッターを含む眼用デバイスと、
該眼用デバイスと通信する聴覚コンピューティングシステムと、
を備える、眼用デバイスと通信するためのシステム。
【請求項２】
該聴覚コンピューティングシステムが、該眼用デバイスと通信するワイヤレス通信デバイスを含む、請求項１に記載のシステム。
【請求項３】
該眼用デバイスがコンタクトレンズを有する、請求項２に記載のシステム。
【請求項４】
該コンタクトレンズが移植可能なレンズを有する、請求項３に記載のシステム。
【請求項５】
該眼用デバイスが、
本体と、
該本体に結合されたアンテナと、
該アンテナとつながるエネルギー源と、
該アンテナと通信するワイヤレストランシーバと、
該本体に結合されて、該ワイヤレストランシーバと通信するセンサーと、
を備える、請求項１に記載のシステム。
【請求項６】
該本体に結合された出力デバイスをさらに備え、該出力デバイスが、ユーザが該眼用デバイスを装着しているときに、該ユーザに投与するための物質を保持するようにされている、請求項５に記載のシステム。
【請求項７】
該聴覚コンピューティングシステムは、受信信号に応答して、該出力デバイスを動作させて該物質を該ユーザの目に投与するように構成されている、請求項６に記載のシステム。
【請求項８】
該眼用デバイスの該本体に結合されたユーザ通信デバイスをさらに備え、該ユーザ通信デバイスが、該眼用デバイスの修正によってユーザの視野を変更するように構成されている、請求項５に記載のシステム。
【請求項９】
該聴覚コンピューティングシステムが、該ユーザ通信デバイスを動作させて該眼用デバイスの光学的特性を変更するように構成されている、請求項８に記載のシステム。
【請求項１０】
該眼用デバイスの光学的特性を変更することは、該ユーザにメッセージを表示することを含む、請求項９に記載のシステム。
【請求項１１】
該光学的特性を変更することは、検出された使用状態に基づいてコンタクトレンズの処方を変更することを含む、請求項９に記載のシステム。
【請求項１２】
第２の眼用デバイスをさらに備え、
該聴覚コンピューティングシステムが該第２の眼用デバイスと通信するように構成されている、請求項１に記載のシステム。
【請求項１３】
該聴覚コンピューティングシステムが、ウェアラブルデバイス及び加速度計をさらに備え、
該加速度計は、該ウェアラブルデバイスがユーザによって装着されたときにユーザの動きに応答して、該ユーザの動きを検出するように構成されており、
該聴覚コンピューティングシステムが、該加速度計による検出に基づいて該眼用デバイスの光学的特性を変更するように構成されている、請求項１に記載のシステム。
【請求項１４】
該聴覚コンピューティングシステムはウェアラブルデバイスを含み、該眼用デバイスはユーザによって装着されるように構成されたコンタクトレンズを含む、請求項１に記載のシステム。
【請求項１５】
該ウェアラブルデバイスはイヤホンを含む、請求項１４に記載のシステム。
【請求項１６】
該イヤホンは、６インチ（１５２ミリ）未満の所定の送信範囲を含む、請求項１５に記載のシステム。
【請求項１７】
該イヤホンは、該イヤホンがユーザの耳に装着されたときに該ユーザの目に向けて送信するように構成された集束トランスミッターを含む、請求項１５に記載のシステム。
【請求項１８】
該イヤホンは、該イヤホンがユーザの耳に装着され該眼用デバイスがユーザの目に配置されたときに、該眼用デバイスからの送信を受信するように構成された集束レシーバーを備える、請求項１５に記載のシステム。
【請求項１９】
ユーザによって装着された眼用デバイスからイヤホンで情報を受け取るステップと、
該眼用デバイスからの情報を分析するステップと、
該分析された情報に関するメッセージを該眼用デバイスに送信するステップと、
を有する、ユーザに警告する方法。
【請求項２０】
該情報を分析するステップは、所定の閾値が満たされているかどうかを判定するステップを含み、当該方法は、該所定の閾値が満たされたときにユーザに警告するステップをさらに有する、請求項１９に記載の方法。
【請求項２１】
所定のアクションを実行するのにユーザからの入力を要求するステップをさらに有する、請求項２０に記載の方法。
【請求項２２】
該所定のアクションは、物質をユーザに投与することを含む、請求項２１に記載の方法。
【請求項２３】
該眼用デバイスの処方強度の変更を引き起こすステップをさらに含む、請求項１９に記載の方法。
【請求項２４】
安全警告を受信するステップと、
ユーザに関連付けられたリモートデバイスに該安全警告を送信するステップと、
を更に有する、請求項１９に記載の方法。
【請求項２５】
ユーザが装着しているワイヤレスレシーバーから情報を受信するステップと、
該ワイヤレスレシーバーからの該情報を分析するステップと、
該分析に基づいて眼用デバイスの光学的特性の変更を促すステップと、
を有する、眼用デバイスを変更する方法。
【請求項２６】
ユーザの頭の動きを検出するステップをさらに含む、請求項２５に記載の方法。
【請求項２７】
該眼用デバイスの光学的特性の変更を促すステップは、該眼用デバイスの処方強度の変更を促すステップをさらに含む、請求項２５に記載の方法。
【請求項２８】
該眼用デバイスから情報を要求するステップと、
該眼用デバイスからの該情報を分析するステップと、
該眼用デバイスからの情報の該分析に基づいて、該眼用デバイスの光学的特性の変更を促すステップと、
を更に有する、請求項２５に記載の方法。
【請求項２９】
本体、及び該本体内に配置された少なくとも１つのセンサー、を有する第１のコンタクトレンズと、
該第１のコンタクトレンズと通信するウェアラブルワイヤレスレシーバーと、
を備える、コンタクトレンズシステム。
【請求項３０】
該ウェアラブルワイヤレスレシーバーはイヤホンを備える、請求項２９に記載のコンタクトレンズシステム。
【請求項３１】
該第１のコンタクトレンズは、該第１のコンタクトレンズの該本体に配置された指向性トランスミッターをさらに備える、請求項３０に記載のコンタクトレンズシステム。
【請求項３２】
該イヤホンは、該コンタクトレンズに向けられた指向性レシーバーをさらに備える、請求項３１に記載のコンタクトレンズシステム。
【請求項３３】
該第１のコンタクトレンズが、６インチ（１５２ミリ）以下の送信範囲を有するアンテナをさらに備える、請求項３２に記載のコンタクトレンズシステム。
【請求項３４】
該第１のコンタクトレンズの該本体内に配置されて少なくとも１つのセンサーと通信するプロセッサモジュールと、
該第１のコンタクトレンズの該本体内に配置されて該少なくとも１つのセンサーと通信するアンテナと、
を更に備える、請求項３２に記載のコンタクトレンズシステム。
【請求項３５】
該第１のコンタクトレンズの該本体に配置された電池をさらに備え、該アンテナが該電池とつながっている、請求項３４に記載のコンタクトレンズシステム。
【請求項３６】
該コンタクトレンズは、生データを該ワイヤレスレシーバーに送信するように構成されている、請求項２９に記載のコンタクトレンズシステム。
【請求項３７】
該ワイヤレスレシーバーはイヤホンを含み、該コンタクトレンズは該イヤホンに情報を送信するようにされた、請求項２９に記載のコンタクトレンズシステム。
【請求項３８】
可聴音を生成するように構成されたスピーカーと、
コンタクトレンズと通信するトランスミッターと、
を有するイヤホン。
【請求項３９】
該トランスミッターは、該イヤホンがユーザの耳に取り付けられたときにユーザの目の方向からの信号を受信する指向性レシーバーを含む、請求項３８に記載のイヤホン。
【請求項４０】
該可聴音は該コンタクトレンズから送信された情報に基づくメッセージを含む、請求項３８に記載のイヤホン。
【請求項４１】
該情報が、ユーザの眼の眼圧、グルコースの読み取り値、健康状態、眼の乾燥レベル、および眼精疲労レベルのうちの１つ以上を含む、請求項４０に記載のイヤホン。
【請求項４２】
該コンタクトレンズからの信号を解釈するように構成されたプロセッサをさらに備え、該プロセッサが、該コンタクトレンズからの信号の解釈に応答して、該コンタクトレンズに指示を送信するように構成されている、請求項３８に記載のイヤホン。
【請求項４３】
該プロセッサが、該コンタクトレンズからリモートデバイスに情報を送信するように構成されている、請求項４２に記載のイヤホン。
【国際調査報告】
2021515916.tif 000011
2021515916.tif 000012
2021515916.tif 000013